(57)【要約】【課題】施設検索において、個々のユーザにとっての経済性判断に役立つような情報を提供し、それに応じて適切な目的地を判断することが可能な施設検索装置、施設検索方法、及び施設検索プログラムを提供する。【解決手段】ユーザが指定情報を入力すると、施設検索装置は指定情報に対応する指定店舗情報を検索し、サーバ装置から指定店舗情報取得する。指定店舗情報に基づいて、当該店舗を利用した場合の出費削減効果を示す出費削減効果情報を作成し、作成した出費削減効果情報を、各指定店舗情報と対応付けて一覧表示した検索結果画面を作成する。そして、検索結果画面を画面表示部に表示させる。【選択図】図４
2009205534.tif 000002
【特許請求の範囲】
【請求項１】
店舗情報を記憶したサーバ装置と通信可能な施設検索装置であって、
画面を表示する画面表示部と、
ユーザが指定情報を入力するための指定情報入力手段と、
前記店舗情報の中から前記指定情報に対応する指定店舗情報を検索する指定店舗情報検索手段と、
前記指定店舗情報を前記サーバ装置から取得する指定店舗情報取得手段と、
前記指定店舗情報に基づいて、当該店舗を利用した場合の出費削減効果を示す出費削減効果情報を作成する出費削減効果情報作成手段と、
前記出費削減効果情報作成手段が作成した出費削減効果情報を、各指定店舗情報と対応付けて一覧表示した検索結果画面を作成する検索結果画面作成手段と、
前記検索結果画面作成手段が作成した検索結果画面を画面表示部に表示させる出力手段と、を備えることを特徴とする施設検索装置。
【請求項２】
前記出費削減効果情報作成手段は、
現在地の位置情報を取得する位置情報取得手段と、
前記指定店舗の買得情報を前記サーバ装置から取得する買得情報取得手段と、
前記指定店舗情報と前記位置情報とに基づいて、現在地から指定店舗までの距離を計算する距離計算手段と、
前記距離計算手段が計算した現在地から指定店舗までの距離に基づいて、消費燃費を計算する消費燃費計算手段と
ユーザが前記買得情報に基づいて買得金額を入力するための買得金額入力手段と、を備え、
前記検索結果画面作成手段は、前記消費燃費計算手段が計算した前記消費燃費と、ユーザが入力した前記買得金額とを各指定店舗情報と対応付けて一覧表示し、
前記出力手段は、前記検索結果画面作成手段が作成した検索結果画面を画面表示部に表示させることを特徴とする請求項１に記載の施設検索装置。
【請求項３】
前記距離計算手段が計算した現在地から指定店舗までの距離に基づいて、所要時間を計算する所要時間計算手段をさらに備え、
前記検索結果画面作成手段は、前記所要時間計算手段が計算した所要時間を、前記指定店舗情報とさらに対応付けて一覧表示した検索結果画面を作成し、
前記出力手段は、前記検索結果画面作成手段が作成した検索結果画面を画面表示部に表示させることを特徴とする請求項２に記載の施設検索装置。
【請求項４】
前記消費燃費の昇順に前記指定店舗情報を並べ替える第１並べ替え手段と、
前記所要時間の昇順に前記指定店舗情報を並べ替える第２並べ替え手段と、
前記買得金額の降順に前記指定店舗情報を並べ替える第３並べ替え手段と、をさらに備え、
前記検索結果画面作成手段は、第１並べ替え手段、前記第２並べ替え手段及び第３並べ替え手段が並べ替えた順に前記指定店舗情報を一覧表示した検索結果画面を作成し、
前記出力手段は、前記検索結果画面作成手段が作成した検索結果画面を画面表示部に表示させることを特徴とする請求項３に記載の施設検索装置。
【請求項５】
前記店舗情報の中から前記指定店舗の近隣に存在する店舗の近隣店舗情報を検索する近隣店舗情報検索手段と、
前記近隣店舗情報を前記サーバ装置から取得する近隣店舗情報取得手段と、をさらに備え、
前記検索結果画面作成手段は、前記近隣店舗情報取得手段が取得した前記近隣店舗情報を、前記指定店舗情報とさらに対応付けて一覧表示した検索結果画面を作成し、
前記出力手段は、前記検索結果画面作成手段が作成した検索結果画面を画面表示部に表示させることを特徴とする請求項１乃至４のいずれか一項に記載の施設検索装置。
【請求項６】
前記指定店舗の画像情報を前記サーバ装置から取得する画像情報取得手段をさらに備え、
前記検索結果画面作成手段は、前記画像情報取得手段が取得した前記画像情報を、前記指定店舗情報とさらに対応付けて一覧表示した検索結果画面を作成し、
前記出力手段は、前記検索結果画面作成手段が作成した検索結果画面を画面表示部に表示させることを特徴とする請求項１乃至５のいずれか一項に記載の施設検索装置。
【請求項７】
ユーザが前記指定店舗一覧の中から目的地として店舗を選択する選択情報を入力するための選択情報入力手段と、
ユーザが来店情報を入力するための来店情報入力手段と、
ユーザが選択した店舗に来店したか否かを判定する判定手段と、
前記判定手段が来店したと判定した場合、前記来店情報を前記サーバ装置に送信する来店情報送信手段と、をさらに備えることを特徴とする請求項１乃至６のいずれか一項に記載の施設検索装置。
【請求項８】
前記来店情報は、ユーザの当該店舗での利用金額情報を含むことを特徴とする請求項７に記載の施設検索装置。
【請求項９】
施設検索装置によって実行される施設検索方法であって、
ユーザが指定情報を入力するための指定情報入力工程と、
前記店舗情報の中から前記指定情報に対応する指定店舗情報を検索する指定店舗情報検索工程と、
前記指定店舗情報を前記サーバ装置から取得する指定店舗情報取得工程と、
前記指定店舗情報に基づいて、当該店舗を利用した場合の出費削減効果を示す出費削減効果情報を作成する出費削減効果情報作成工程と、
前記出費削減効果情報作成工程が作成した出費削減効果情報を、各指定店舗情報と対応付けて一覧表示した検索結果画面を作成する検索結果画面作成工程と、
前記検索結果画面作成工程が作成した検索結果画面を画面表示部に表示させる出力工程と、を備えることを特徴とする施設検索方法。
【請求項１０】
コンピュータを備える施設検索装置において実行される施設検索プログラムであって、
ユーザが指定情報を入力するための指定情報入力手段、
前記店舗情報の中から前記指定情報に対応する指定店舗情報を検索する指定店舗情報検索手段、
前記指定店舗情報を前記サーバ装置から取得する指定店舗情報取得手段、
前記指定店舗情報に基づいて、当該店舗を利用した場合の出費削減効果を示す出費削減効果情報を作成する出費削減効果情報作成手段、
前記出費削減効果情報作成手段が作成した出費削減効果情報を、各指定店舗情報と対応付けて一覧表示した検索結果画面を作成する検索結果画面作成手段、
前記検索結果画面作成手段が作成した検索結果画面を画面表示部に表示させる出力手段、として前記コンピュータを機能させることを特徴とする施設検索プログラム。
【請求項１１】
請求項１０に記載の施設検索プログラムを記録したことを特徴とする記録媒体。
【発明の詳細な説明】
【技術分野】
【０００１】
本発明は、店舗情報を提供する手法に関する。
【背景技術】
【０００２】
現在、携帯情報端末やカーナビゲーション装置などを利用した店舗情報提供の一例としては、ジャンル情報と店舗情報とを関連付け、ユーザがジャンルを指定すると、そのジャンルに属する店舗情報を表示させる方法が挙げられる。また、ＧＰＳの位置情報を利用して、現在地周辺の店舗情報を表示させる方法もある。
【０００３】
また、特許文献１には、サーバに地域情報を地図とリンクして格納し、ユーザが持つ携帯情報機器が測定した位置情報と地域情報から特定の情報を抽出し、さらに、ユーザの嗜好、目的、利用度からなる実績情報を蓄積し、ユーザに合わせた地域情報を利用者の携帯情報機器に自動的配信する方法が記載されている。
【０００４】
【特許文献１】特開２００３−２３３７５２号公報
【発明の開示】
【発明が解決しようとする課題】
【０００５】
しかしながら、上記のジャンルによる店舗検索、位置情報に基づく周辺店舗検索では、絞り込まれた店舗情報の中からさらにユーザが店舗を決定する判断材料がなかった。また、上記の地域情報の自動的配信方法でも、ユーザの嗜好、目的、利用度に応じて複数の地域情報を配信するという機能に留まっている。
【０００６】
本発明が解決しようとする課題には、上記のものが例として挙げられる。本発明の目的は、ユーザが目的達成のためにユーザにとって有用な「その日・その時間帯の特売品が魅力的かどうか」といったような観点から、個々のユーザにとっての経済性判断に役立つような情報を提供し、それに応じて適切な目的地を判断することが可能な施設検索装置、施設検索方法、及び施設検索プログラムを提供することにある。
【課題を解決するための手段】
【０００７】
請求項１に記載の発明は、店舗情報を記憶したサーバ装置と通信可能な施設検索装置であって、画面を表示する画面表示部と、ユーザが指定情報を入力するための指定情報入力手段と、前記店舗情報の中から前記指定情報に対応する指定店舗情報を検索する指定店舗情報検索手段と、前記指定店舗情報を前記サーバ装置から取得する指定店舗情報取得手段と、前記指定店舗情報に基づいて、当該店舗を利用した場合の出費削減効果を示す出費削減効果情報を作成する出費削減効果情報作成手段と、前記出費削減効果情報作成手段が作成した出費削減効果情報を、各指定店舗情報と対応付けて一覧表示した検索結果画面を作成する検索結果画面作成手段と、前記検索結果画面作成手段が作成した検索結果画面を画面表示部に表示させる出力手段と、を備える。
【０００８】
請求項９に記載の発明は、施設検索方法であって、ユーザが指定情報を入力するための指定情報入力工程と、前記店舗情報の中から前記指定情報に対応する指定店舗情報を検索する指定店舗情報検索工程と、前記指定店舗情報を前記サーバ装置から取得する指定店舗情報取得工程と、前記指定店舗情報に基づいて、当該店舗を利用した場合の出費削減効果を示す出費削減効果情報を作成する出費削減効果情報作成工程と、前記出費削減効果情報作成工程が作成した出費削減効果情報を、各指定店舗情報と対応付けて一覧表示した検索結果画面を作成する検索結果画面作成工程と、前記検索結果画面作成工程が作成した検索結果画面を画面表示部に表示させる出力工程と、を備える。
【０００９】
請求項１０に記載の発明は、コンピュータを備える施設検索装置において実行される施設検索プログラムであって、ユーザが指定情報を入力するための指定情報入力手段、前記店舗情報の中から前記指定情報に対応する指定店舗情報を検索する指定店舗情報検索手段、前記指定店舗情報を前記サーバ装置から取得する指定店舗情報取得手段、前記指定店舗情報に基づいて、当該店舗を利用した場合の出費削減効果を示す出費削減効果情報を作成する出費削減効果情報作成手段、前記出費削減効果情報作成手段が作成した出費削減効果情報を、各指定店舗情報と対応付けて一覧表示した検索結果画面を作成する検索結果画面作成手段、前記検索結果画面作成手段が作成した検索結果画面を画面表示部に表示させる出力手段、として前記コンピュータを機能させる。
【発明を実施するための最良の形態】
【００１０】
本発明の１つの観点では、店舗情報を記憶したサーバ装置と通信可能な施設検索装置は、画面を表示する画面表示部と、ユーザが指定情報を入力するための指定情報入力手段と、前記店舗情報の中から前記指定情報に対応する指定店舗情報を検索する指定店舗情報検索手段と、前記指定店舗情報を前記サーバ装置から取得する指定店舗情報取得手段と、前記指定店舗情報に基づいて、当該店舗を利用した場合の出費削減効果を示す出費削減効果情報を作成する出費削減効果情報作成手段と、前記出費削減効果情報作成手段が作成した出費削減効果情報を、各指定店舗情報と対応付けて一覧表示した検索結果画面を作成する検索結果画面作成手段と、前記検索結果画面作成手段が作成した検索結果画面を画面表示部に表示させる出力手段と、を備えることを特徴とする。このように、ユーザの指定情報に基づき抽出された店舗情報と対応付けて出費削減効果情報を一覧表示させることで、店舗選択時の経済性の面からの判断を容易にすることが可能となる。
【００１１】
上記の施設検索装置の他の一態様では、前記出費削減効果情報作成手段は、現在地の位置情報を取得する位置情報取得手段と、前記指定店舗の買得情報を前記サーバ装置から取得する買得情報取得手段と、前記指定店舗情報と前記位置情報とに基づいて、現在地から指定店舗までの距離を計算する距離計算手段と、前記距離計算手段が計算した現在地から指定店舗までの距離に基づいて、消費燃費を計算する消費燃費計算手段とユーザが前記買得情報に基づいて買得金額を入力するための買得金額入力手段とを備え、前記検索結果画面作成手段は、前記消費燃費計算手段が計算した前記消費燃費と、ユーザが入力した前記買得金額とを各指定店舗情報と対応付けて一覧表示し、前記出力手段は、前記検索結果画面作成手段が作成した検索結果画面を画面表示部に表示させることを特徴とする。これにより、当該店舗を利用した場合の消費燃費と買得金額を比較することができ、店舗選択時の経済性の面からの判断を容易にすることが可能となる。
【００１２】
上記の施設検索装置の他の一態様では、施設検索装置は前記消費燃費の昇順に前記指定店舗情報を並べ替える第１並べ替え手段と、前記所要時間の昇順に前記指定店舗情報を並べ替える第２並べ替え手段と、前記買得金額の降順に前記指定店舗情報を並べ替える第３並べ替え手段とをさらに備え、前記検索結果画面作成手段は、第１並べ替え手段、前記第２並べ替え手段及び第３並べ替え手段が並べ替えた順に前記指定店舗情報を一覧表示した検索結果画面を作成し、前記出力手段は、前記検索結果画面作成手段が作成した検索結果画面を画面表示部に表示させることを特徴とする。これにより、ユーザは自らが優先させたい条件に合わせて指定店舗情報を並べ替えることができ、指定店舗情報の比較が容易となる。
【００１３】
上記の施設検索装置の他の一態様では、施設検索装置は前記店舗情報の中から前記指定店舗の近隣に存在する店舗の近隣店舗情報を検索する近隣店舗情報検索手段と、前記近隣店舗情報を前記サーバ装置から取得する近隣店舗情報取得手段をさらに備え、前記検索結果画面作成手段は、前記近隣店舗情報取得手段が取得した前記近隣店舗情報を、前記指定店舗情報とさらに対応付けて一覧表示した検索結果画面を作成し、前記出力手段は、前記検索結果画面作成手段が作成した検索結果画面を画面表示部に表示させることを特徴とする。これにより、併せて利用できる店舗を参照することができ、より利便性の高い店舗を選択することが容易となる。
【００１４】
上記の施設検索装置の他の一態様では、施設検索装置は、前記指定店舗の画像情報を前記サーバ装置から取得する画像情報取得手段をさらに備え、前記検索結果画面作成手段は、前記画像情報取得手段が取得した前記画像情報を、前記指定店舗情報とさらに対応付けて一覧表示した検索結果画面を作成し、前記出力手段は、前記検索結果画面作成手段が作成した検索結果画面を画面表示部に表示させることを特徴とする。指定店舗の画像を取得し、参照することで、ユーザはより適切な店舗を選択することが容易となる。
【００１５】
上記の施設検索装置の他の一態様では、施設検索装置は、ユーザが前記指定店舗一覧の中から目的地として店舗を選択する選択情報を入力するための選択情報入力手段と、ユーザが選択した店舗に来店したか否かを判定する判定手段と、前記判定手段が来店したと判定した場合、来店情報を前記サーバ装置に送信する来店情報送信手段とをさらに備えることを特徴とする。これにより、店舗側は、来店情報を参照することで、施設検索装置がユーザに提供する店舗情報による集客効果を客観的に判断することが可能となる。
【００１６】
上記の施設検索装置の他の一態様では、前記来店情報は、ユーザの当該店舗での利用金額情報を含むことを特徴とする。これにより、店舗側は、施設検索装置がユーザに提供する店舗情報による売上効果を客観的に判断することが可能となる。
【００１７】
本発明の他の観点では、ユーザが指定情報を入力するための指定情報入力工程と、前記店舗情報の中から前記指定情報に対応する指定店舗情報を検索する指定店舗情報検索工程と、前記指定店舗情報を前記サーバ装置から取得する指定店舗情報取得工程と、前記指定店舗情報に基づいて、当該店舗を利用した場合の出費削減効果を示す出費削減効果情報を作成する出費削減効果情報作成工程と、前記出費削減効果情報作成工程が作成した出費削減効果情報を、各指定店舗情報と対応付けて一覧表示した検索結果画面を作成する検索結果画面作成工程と、前記検索結果画面作成工程が作成した検索結果画面を画面表示部に表示させる出力工程と、を備えることを特徴とする施設検索方法によっても、店舗選択時の経済性の面からの判断を容易にすることが可能となる。
【００１８】
本発明の他の観点では、コンピュータを備える施設検索装置において実行される施設検索プログラムは、ユーザが指定情報を入力するための指定情報入力手段、前記店舗情報の中から前記指定情報に対応する指定店舗情報を検索する指定店舗情報検索手段、前記指定店舗情報を前記サーバ装置から取得する指定店舗情報取得手段、前記指定店舗情報に基づいて、当該店舗を利用した場合の出費削減効果を示す出費削減効果情報を作成する出費削減効果情報作成手段、前記出費削減効果情報作成手段が作成した出費削減効果情報を、各指定店舗情報と対応付けて一覧表示した検索結果画面を作成する検索結果画面作成手段、前記検索結果画面作成手段が作成した検索結果画面を画面表示部に表示させる出力手段、として前記コンピュータを機能させることを特徴とする。このようなプログラムをサーバ装置上で実行することによっても店舗選択時の経済性の面からの判断を容易にすることが可能となる。なお、プログラムは、記録サービス提供媒体に記録した状態で好適に取り扱うことができる。
【実施例】
【００１９】
以下、図面を参照して本発明の好適な実施例について説明する。なお、以下の説明は、本発明を車両用のナビゲーション装置に適用した例を示す。
［施設検索システムの概略構成］
図１に、施設検索システム１００の概念図を示す。本実施例では、施設検索システム１００は、ナビゲーション装置１と、サーバ装置３とがネットワーク２を通じて接続されることにより構成される。
【００２０】
サーバ装置３は、店舗情報などを保持する。ナビゲーション装置１は、ユーザが指定情報を入力し、指定情報に対応する店舗情報（以下、指定店舗情報と呼ぶ。）を検索し、表示する施設検索装置を含む。検索結果画面の詳細については、後述する。具体的に、ユーザがナビゲーション装置１を使用して、指定情報を入力すると、ナビゲーション装置１は、サーバ装置３に記憶された店舗情報の中から指定店舗情報の検索を行う。そして、ナビゲーション装置１は、サーバ装置３から指定店舗情報を取得し、当該店舗情報に基づいて検索結果画面を作成し、表示する。
【００２１】
［ナビゲーション装置］
図２に、ナビゲーション装置１の構成を示す。図２に示すように、ナビゲーション装置１は、自立測位装置１０、ＧＰＳ受信機１８、システムコントローラ２０、ディスクドライブ３１、データ記憶ユニット３６、インタフェース３７、通信装置３８、表示ユニット４０、音声出力ユニット５０及び入力装置６０を備える。
【００２２】
自立測位装置１０は、加速度センサ１１、角速度センサ１２及び距離センサ１３を備える。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。
【００２３】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。
【００２４】
システムコントローラ２０は、インタフェース２１、ＣＰＵ（Central Processing Unit）２２、ＲＯＭ（Read Only Memory）２３及びＲＡＭ（Random Access Memory）２４を含んでおり、ナビゲーション装置１全体の制御を行う。
【００２５】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。
【００２６】
システムコントローラ２０、ＣＤ−ＲＯＭドライブ又はＤＶＤ−ＲＯＭドライブなどのディスクドライブ３１、データ記憶ユニット３６、通信用のインタフェース３７、表示ユニット４０、音声出力ユニット５０及び入力装置６０は、バスライン３０を介して相互に接続されている。
【００２７】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。データ記憶ユニット３６は、例えば、ＨＤＤなどにより構成され、地図データなどのナビゲーション処理に用いられる各種データを記憶するユニットである。通信装置３８は、例えば、ＦＭチューナやビーコンレシーバ、携帯電話や専用の通信カードなどにより構成され、ＶＩＣＳ（Vehicle Information Communication System）センタなどから配信される情報を取得する。
【００２８】
表示ユニット４０は、システムコントローラ２０の制御の下、各種表示データをディスプレイなどの表示装置に表示する。具体的には、システムコントローラ２０は、データ記憶ユニット３６から地図データを読み出す。表示ユニット４０は、システムコントローラ２０によってデータ記憶ユニット３６から読み出された地図データなどを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Video RAM ）等のメモリからなり即時表示可能な画像情報を一時的に記憶するバッファメモリ４２と、グラフィックコントローラ４１から出力される画像データに基づいて、液晶、ＣＲＴ（Cathode Ray Tube）等のディスプレイ４４を表示制御する表示制御部４３と、ディスプレイ４４とを備える。ディスプレイ４４は、情報表示部として機能し、例えば対角５〜１０インチ程度の液晶表示装置等からなり、車内のフロントパネル付近に装着される。
【００２９】
音声出力ユニット５０は、システムコントローラ２０の制御の下、ＣＤ−ＲＯＭドライブ３１又はＤＶＤ−ＲＯＭ３２、若しくはＲＡＭ２４等からバスライン３０を介して送られる音声デジタルデータのＤ／Ａ（Digital to Analog）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。
【００３０】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。
【００３１】
なお、図２におけるＣＰＵ２２などは、本発明における施設検索装置に相当する。具体的には、ＣＰＵ２２などは、指定店舗情報検索手段、出費削減効果情報作成手段、検索結果画面作成手段、出力手段、に相当する。
【００３２】
［施設検索装置］
次に、本発明による施設検索装置２００について説明する。図３は、施設検索を実行するための施設検索装置２００の機能構成を示す。なお、施設検索装置２００は、実体的には、図２に示すナビゲーション装置１の構成要素により実現される。
【００３３】
図３に示すように、施設検索装置２００は、情報入力部２０１、情報検索部２０２、情報取得部２０３、計算部２０４、画面作成部２０５、画面出力部２０６、判定部２０７、情報送信部２０８、画面表示部２０９を備える。
【００３４】
情報入力部２０１には、ユーザによって指定情報及び買得金額が入力される。指定情報とは、例えばジャンルやエリアなど、ユーザが希望する店舗情報を絞り込むための情報である。買得金額は、ユーザが買得情報に基づいて入力する金額であり、当該店舗で買い物をした場合の予想出費削減額である。また、情報入力部２０１には、ユーザによって指定店舗一覧の中から目的地として店舗を選択する選択情報が入力される。さらに、ユーザが選択情報を入力後、当該店舗を利用した場合に、来店情報が入力される。来店情報は、例えば、満足度や利用金額といった店舗に関する情報である。即ち、情報入力部２０１は、本発明における指定情報入力手段、買得金額入力手段、選択情報入力手段、来店情報入力手段、として機能する。
【００３５】
情報検索部２０２は、情報入力部２０１に入力された指定情報に対応する指定店舗情報をサーバ装置３に記憶されている店舗情報の中から検索する。
【００３６】
情報取得部２０３は、サーバ装置３から情報検索部２０２が検索した指定店舗情報を取得する。また、情報取得部２０３は、ＧＰＳ受信機１８から位置情報を取得する。また、情報取得部２０３は、サーバ装置３から、指定店舗の買得情報を取得する。また、情報取得部２０３は、サーバ装置３から、指定店舗の近隣に存在する店舗の店舗情報（以下、近隣店舗情報と呼ぶ。）を取得する。さらに、情報取得部２０３は、サーバ装置３から、指定店舗の画像情報を取得する。即ち、情報取得部２０３は、本発明における指定店舗情報取得手段、位置情報取得手段、買得情報取得手段、近隣店舗情報取得手段、画像情報取得手段、として機能する。
【００３７】
計算部２０４は、情報取得部２０３が取得した指定店舗情報と位置情報とに基づいて、現在地から指定店舗までの距離を計算する。また、計算部２０４は、現在地から指定店舗までの距離に基づいて、消費燃費を計算する。具体的には、予め車両の燃費（ｋｍ／Ｌ）と１Ｌ当たりのガソリン代を設定しておき、
消費燃費＝
（現在地から指定店舗までの距離）÷（車両の燃費）×（１Ｌ当たりのガソリン代）
という演算により消費燃費を算出する方法などがある。さらに、計算部２０４は、現在地から指定店舗までの距離に基づいて、所要時間を計算する。具体的には、予め車両の平均速度を設定しておき、
所要時間＝（現在地から指定店舗までの距離）÷（車両の平均速度）
という演算により所要時間を算出する方法などがある。即ち、計算部２０４は、本発明における距離計算手段、消費燃費計算手段、所要時間計算手段、として機能する。
【００３８】
画面作成部２０５は、計算部２０４が計算した消費燃費及び所要時間と、情報入力部２０１にユーザが入力した買得金額と、情報検索部２０２が検索した近隣店舗情報及び画像情報と、を各指定店舗情報と対応付けて一覧表示した検索結果画面を作成する。また、画面作成部２０５は、消費燃費の昇順又は、所要時間の昇順又は、買得金額の降順に指定店舗情報を並べ替える。即ち、画面作成部２０５は、本発明における検索結果画面作成手段、第１並べ替え手段、第２並べ替え手段、第３並べ替え手段、として機能する。
【００３９】
画面出力部２０６は、画面作成部２０５が作成した検索結果画面を画面表示部２０９に表示させる。
【００４０】
判定部２０７は、ユーザが選択した店舗に来店したか否かを判定する。例えば、判定部２０７は、ユーザのナビゲーション装置１を搭載した車両の自車位置が、店舗の位置情報と一致したときに、ユーザがその店舗に来店したと判断する。
【００４１】
情報送信部２０８は、ユーザが選択した店舗に来店したと判定部２０７が判定した場合、情報入力部２０１に対してユーザが入力した来店情報をサーバ装置３に送信する。
【００４２】
画面表示部２０９は、例えばＬＣＤなどの表示装置として構成され、画面作成部２０５が作成した検索結果画面を表示する。
【００４３】
次に、本実施例における検索結果画面について図４乃至６を用いて説明する。図４は検索結果画面の表示例である。ユーザが情報入力部２０１に指定情報を入力すると、情報検索部２０２は指定店舗情報を検索し、情報取得部２０３が指定店舗情報を取得する。表示欄Ａ１は、計算部２０４が指定店舗情報に基づいて計算した、現在地から店舗までの距離、店舗まで行った場合の消費燃費、店舗まで行った場合の所要時間を表し、指定店舗ごとに計算され、一覧表示されている。表示欄Ａ２は、情報取得部２０３がサーバ装置３から取得した、近隣指定店舗情報と、買得情報と、画像情報とを表し、指定店舗ごとに一覧表示されている。近隣指定店舗情報、買得情報、画像情報がある場合、「あり」ボタンＡ３が表示される。ない場合は「なし」と表示される。
【００４４】
近隣店舗情報の「あり」ボタンＡ３は、図５（ａ）の近隣店舗情報画面と対応付けられており、近隣店舗情報画面には、表示エリアＢ１に示すように近隣店舗情報が一覧表示される。近隣店舗情報画面は「戻る」ボタンＢ２を有しており、ユーザが「戻る」ボタンＢ２を押すと、検索結果画面に戻る。これにより、ユーザは指定店舗の近隣にあり、指定店舗と併せて利用できる店舗を参照することができ、より利便性の高い店舗を選択することが容易となる。
【００４５】
図４における買得情報の「あり」ボタンＡ３は、図５（ｂ）の買得情報画面と対応付けられており、買得情報画面には、表示エリアＣ１に示すように当該店舗のお買得品名及び単価といった買得情報が一覧表示される。ボタンＣ２は、買得金額を計算するための「金額入力」ボタンであり、ユーザが当該店舗を利用した場合、購入するであろうお買得品を想定し、買得金額を入力する。表示エリアＣ３にお買得金額の合計が表示され、検索結果画面にも反映され、表示される。買得情報画面は「戻る」ボタンＣ４を有しており、ユーザが「戻る」ボタンＣ４を押すと、検索結果画面に戻る。これにより、ユーザは当該店舗を利用した場合の消費燃費と買得金額を比較することができるようになり、店舗選択時の経済性の面からの判断を容易にする。
【００４６】
図４における画像情報の「あり」ボタンＡ３は、図６（ａ）の画像情報画面と対応付けられており、画像情報画面には、表示エリアＤ１に示すように店内画像や駐車場画像といった指定店舗の画像が表示される。これにより、ユーザは混雑状況や品揃えなどを把握することが容易となる。表示エリアＤ２には、当該画像が撮影された日時が表示される。画像情報画面は「戻る」ボタンＤ３を有しており、ユーザが「戻る」ボタンＤ３を押すと、検索結果画面に戻る。
【００４７】
図４の表示エリアＡ４には、左から順に、以下の条件Ａ〜Ｃで指定店舗情報を並べ替える「並べ替え」ボタンが表示される。
【００４８】
（条件Ａ）消費燃費の金額の昇順、
（条件Ｂ）所要時間の昇順、
（条件Ｃ）買得金額の降順。
【００４９】
これにより、ユーザは自らが優先させたい条件に合わせて指定店舗情報を並べ替えることができ、各指定店舗情報の比較が容易となる。
【００５０】
以上のような、検索結果画面を表示することで、ユーザは、経済的判断材料や時間的判断材料に基づき、適切な目的地を選択することが可能となる。
【００５１】
図４において、検索結果画面は指定店舗の「店名」ボタンＡ５を含む。ユーザは目的地とする店舗を選択する場合、当該指定店舗の「店名」ボタンＡ５を押す。例えば、ユーザが店舗Ａの「店名」ボタンＡ５を押すと、図６（ｂ）のような店舗選択後画面が表示される。店舗選択後画面は店舗Ａの所在地を示す地図Ｅ１を表示しており、ユーザが「ここへ行く」ボタンＥ２を押すと、店舗Ａが目的地として決定される。店舗選択後画面は「戻る」ボタンＥ３を有しており、ユーザが「戻る」ボタンＥ３を押すと、検索結果画面に戻る。また、店舗選択後画面は「ここを登録する」ボタンＥ４を有しており、ユーザが「ここを登録する」ボタンＥ４を押すと、当該店舗が登録地点として記憶されるようにしてもよい。
【００５２】
次に、本実施例における来店情報入力／送信画面について図７を用いて説明する。図７（ａ）は来店時の来店情報入力／送信画面の表示例である。判定部２０７が、ユーザが選択した店舗に来店したと判定すると、画面表示部２０９に来店情報入力／送信画面が表示される。ボタンＦ１は、ユーザの当該店舗における利用金額を入力する「利用金額入力」ボタンである。ボタンＦ２は、当該店舗に対する満足度を入力する「満足度入力」ボタンである。また、入力内容表示領域Ｆ３が設けられ、ユーザは自らが入力した内容を確認できる。ボタンＦ４は入力した来店情報をサーバ装置３に送信する「送信」ボタンである。また、ボタンＦ４に示すように、来店情報をサーバ装置に送信することにユーザメリットを設け、送信ボタンの押下を促すこととしてもよい。来店情報入力／送信画面は、「地図画面に進む」ボタンＦ５を有しており、ユーザが「地図画面に進む」ボタンＦ５を押すと、地図画面に戻る。地図画面とはナビゲーション装置１の通常画面である。ユーザが来店情報を送信せずに地図画面に戻った場合、来店情報は未送信の来店情報として保存される。図７（ｂ）は、未送信の来店情報がある場合に、画面表示部２０９に表示される来店情報入力／送信画面の表示例である。
【００５３】
［施設検索処理］
次に、本実施例による施設検索処理について図８を参照して説明する。図８は施設検索処理のフローチャートである。施設検索装置２００は、主としてナビゲーション装置１の構成要素により構成されるものであって、施設検索処理は、図２に示すＣＰＵ２２がＲＯＭ２３などに記憶されたプログラムを実行することにより実現される。
【００５４】
ユーザがまず、情報入力部２０１に指定情報を入力すると、情報取得部２０３がユーザの指定情報を取得する（ステップＳ１）。情報検索部２０２は、サーバ装置３に記憶した店舗情報の中から指定店舗情報を検索する（ステップＳ２）。情報取得部２０３がサーバ装置３から指定店舗情報を取得する（ステップＳ３）。次に、情報取得部２０３が現在地の位置情報をＧＰＳ受信機１８から取得する（ステップＳ４）。計算部２０４は、指定店舗情報と現在地の位置情報とに基づいて、現在地から指定店舗までの距離を計算する（ステップＳ５）。また、計算部２０４は、現在地から指定店舗までの距離に基づいて、消費燃費を計算する（ステップＳ６）。さらに、計算部２０４は、現在地から指定店舗までの距離に基づいて、所要時間を計算する（ステップＳ７）。
【００５５】
次に、画面作成部２０５は、現在地から指定店舗までの距離と消費燃費と所要時間とを、指定店舗情報と対応付けて表示した検索結果画面を作成する（ステップＳ８）。作成した検索結果画面を画面出力部２０６が画面表示部２０９に表示させる（ステップＳ９）。
【００５６】
次に、施設検索装置２００は情報表示処理を実行する（ステップＳ１０）。情報表示処理の詳細は後述する。情報表示処理の実行後、情報取得部２０３は、「店名」ボタンが押されたか否かを判定する（ステップＳ１１）。「店名」ボタンが押されなかった場合（ステップＳ１１；Ｎｏ）、施設検索処理を終了する。「店名」ボタンが押された場合（ステップＳ１１；Ｙｅｓ）、画面作成部２０５は当該店舗の指定店舗情報に対応する地図情報をデータ記憶ユニット３６から呼び出し（ステップＳ１２）、画面出力部２０６は店舗選択後画面を表示する（ステップＳ１３）。
【００５７】
次に、情報取得部２０３は、店舗選択後画面で「ここへ行く」ボタンが押されたか否かを判定し（ステップＳ１４）、「ここへ行く」ボタンが押されなかった場合（ステップＳ１４；Ｎｏ）、施設検索処理を終了する。一方、「ここへ行く」ボタンが押された場合（ステップＳ１４；Ｙｅｓ）、情報取得部２０３はユーザの選択情報を受け取り（ステップＳ１５）、情報送信部２０８は来店情報送信処理を実行する（ステップＳ１６）。来店情報送信処理の詳細は後述する。そして、来店情報送信処理の実行後、施設情報検索処理を終了する。
【００５８】
次に、本実施例による情報表示処理について図９を参照して説明する。図９は情報表示処理のフローチャートである。
【００５９】
情報取得部２０３は、近隣店舗情報「あり」ボタンＡ３が押されたか否かを判定する（ステップＳ２１）。近隣店舗情報「あり」ボタンＡ３が押された場合（ステップＳ２１；Ｙｅｓ）、情報検索部２０２は、近隣店舗情報「あり」ボタンＡ３が押された指定店舗の近隣店舗情報をサーバ装置３から検索する（ステップＳ２２）。情報取得部２０３は、サーバ装置３から近隣店舗情報を取得し（ステップＳ２３）、画面出力部２０６は近隣店舗情報画面を表示する（ステップＳ２４）。次に、情報取得部２０３は「戻る」ボタンＢ２が押されたか否かを判定する（ステップＳ２５）。「戻る」ボタンＢ２が押された場合（ステップＳ２５；Ｙｅｓ）、ステップＳ２６の処理を実行する。一方、「戻る」ボタンＢ２が押されなかった場合（ステップＳ２５；Ｎｏ）、ステップＳ２５の処理を繰り返す。
【００６０】
ステップＳ２１で近隣店舗情報「あり」ボタンＡ３が押されなかった場合（ステップＳ２１；Ｎｏ）、情報取得部２０３は画像情報「あり」ボタンＡ３が押されたか否かを判定する（ステップＳ２６）。
【００６１】
画像情報「あり」ボタンＡ３が押された場合（ステップＳ２６；Ｙｅｓ）、情報検索部２０２は、画像情報「あり」ボタンＡ３が押された指定店舗の画像情報をサーバ装置３から検索する（ステップＳ２７）。情報取得部２０３は、サーバ装置３から画像情報を取得し（ステップＳ２８）、画面出力部２０６は画像情報画面を表示する（ステップＳ２９）。次に、情報取得部２０３は「戻る」ボタンが押されたか否かを判定する（ステップＳ３０）。「戻る」ボタンが押されなかった場合（ステップＳ３０；Ｎｏ）、ステップＳ３０の処理を繰り返す。「戻る」ボタンが押された場合（ステップＳ３０；Ｙｅｓ）、ステップＳ３１の処理を実行する。
【００６２】
ステップＳ２６で画像情報「あり」ボタンＡ３が押されなかった場合（ステップＳ２６；Ｎｏ）、情報取得部２０３は買得情報「あり」ボタンＡ３が押されたか否かを判定する（ステップＳ３１）。
【００６３】
買得情報「あり」ボタンＡ３が押された場合（ステップＳ３１；Ｙｅｓ）、情報検索部２０２は、買得情報「あり」ボタンＡ３が押された指定店舗の買得情報をサーバ装置３から検索する（ステップＳ３２）。情報取得部２０３は、サーバ装置３から買得情報を取得し（ステップＳ３３）、画面出力部２０６は買得情報画面を表示する（ステップＳ３４）。次に、情報取得部２０３は「金額入力」ボタンＣ２が押されたか否かを判定する（ステップＳ３５）。「金額入力」ボタンＣ２が押された場合（ステップＳ３５；Ｙｅｓ）、情報取得部２０３はユーザの入力金額を受け取り（ステップＳ３６）、計算部２０４は入力金額を反映して買得金額を更新する（ステップＳ３７）。
【００６４】
次に、情報取得部２０３は「戻る」ボタンＣ４が押されたか否かを判定する（ステップＳ３８）。「戻る」ボタンＣ４が押されなかった場合（ステップＳ３８；Ｎｏ）、ステップＳ３５の処理を繰り返す。一方、「戻る」ボタンが押された場合（ステップＳ３８；Ｙｅｓ）、ステップＳ３９の処理を実行する。
【００６５】
ステップＳ３１で買得情報「あり」ボタンＡ３が押されなかった場合（ステップＳ３１；Ｎｏ）、情報取得部２０３は図４の表示エリアＡ４に示す「並べ替え」ボタンが押されたか否かを判定する（ステップＳ３９）。
【００６６】
「並べ替え」ボタンが押された場合（ステップＳ３９；Ｙｅｓ）、押された「並べ替え」ボタンの条件に従って、画面作成部２０５は各店舗の消費燃費又は所要時間又は買得金額のいずれか一の昇順又は降順で指定店舗情報を並べ替える（ステップＳ４０）。画面作成部２０５は並べ替えを反映して検索結果画面を更新し、画面出力部２０６が画面表示部２０９に表示させる（ステップＳ４１）。以上で、情報表示処理を終了する。
【００６７】
次に、本実施例による来店情報送信処理について図１０を参照して説明する。図１０は来店情報送信処理のフローチャートである。
【００６８】
施設検索装置２００は、まず、現在地が、ユーザが店舗を選択した後の最新の目的地であるか否かを判定する（ステップＳ５０）。即ち、ユーザが選択した店舗に来店しているか否かを判定する。現在地が、ユーザが店舗を選択した後の最新の目的地である場合（ステップＳ５０；Ｙｅｓ）、画面出力部２０６は来店情報入力／送信画面を表示する（ステップＳ５１）。
【００６９】
次に、情報取得部２０３は、図７（ａ）に示す「地図画面に進む」ボタンＦ５が押されたか否かを判定し（ステップＳ５２）、「地図画面に進む」ボタンＦ５が押された場合（ステップＳ５２；Ｙｅｓ）、画面表示部２０９は地図画面を表示し（ステップＳ７０）、来店情報送信処理を終了する。一方、「地図画面に進む」ボタンＦ５が押されなかった場合（ステップＳ５２；Ｎｏ）、情報取得部２０３は「満足度入力」ボタンＦ２が押されたか否かを判定する（ステップＳ５３）。「満足度入力」ボタンＦ２が押された場合（ステップＳ５３；Ｙｅｓ）、情報取得部２０３は入力された満足度を記憶し（ステップＳ５４）、画面作成部２０５は来店情報入力／送信画面の入力内容表示領域の満足度の表示を更新し（ステップＳ５５）、次に、ステップＳ５６処理を実行する。
【００７０】
一方、「満足度入力」ボタンＦ２が押されなかった場合（ステップＳ５３；Ｎｏ）、情報取得部２０３は「利用金額入力」ボタンＦ１が押されたか否かを判定する（ステップＳ５６）。「利用金額入力」ボタンＦ１が押された場合（ステップＳ５６；Ｙｅｓ）、情報取得部２０３は入力された利用金額を記憶し（ステップＳ５７）、画面作成部２０５は来店情報入力／送信画面の入力内容表示領域の利用金額の表示を更新し（ステップＳ５８）、ステップＳ５９の処理を実行する。
【００７１】
一方、「利用金額入力」ボタンＦ１が押されなかった場合（ステップＳ５６；Ｎｏ）、情報取得部２０３は「送信」ボタンＦ４が押されたか否かを判定する（ステップＳ５９）。「送信」ボタンＦ４が押された場合（ステップＳ５９；Ｙｅｓ）、情報送信部２０８は来店情報をサーバ装置３に送信し（ステップＳ６０）、ステップＳ７０の処理を実行し、来店情報送信処理を終了する。「送信」ボタンＦ４が押されなかった場合（ステップＳ５９；Ｎｏ）、判定部２０７は一定時間が経過したか否かを判定する（ステップＳ６１）。一定時間が経過した場合（ステップＳ６１；Ｙｅｓ）、ステップＳ７０の処理を実行し、来店情報送信処理を終了する。
【００７２】
一定時間が経過していない場合（ステップＳ６１；Ｎｏ）、判定部２０７は車両が移動を開始したか否かを判定する（ステップＳ６２）。車両が移動を開始した場合（ステップＳ６２；Ｙｅｓ）、ステップＳ７０の処理を実行し、来店情報送信処理を終了する。一方、車両が移動を開始していない場合（ステップＳ６２；Ｎｏ）、判定部２０７は未送信の来店情報が保存されているか否かを判定する（ステップＳ６３）。未送信の来店情報が保存されている場合（ステップＳ６３；Ｙｅｓ）、画面出力部２０６は来店情報入力／送信画面を表示する（ステップＳ６４）。
【００７３】
次に、情報取得部２０３は、「地図画面に進む」ボタンＦ５が押されたか否かを判定し（ステップＳ６５）、「地図画面に進む」ボタンが押された場合（ステップＳ６５；Ｙｅｓ）、ステップＳ７０の処理を実行し、来店情報送信処理を終了する。一方、「地図画面に進む」ボタンが押されなかった場合（ステップＳ６５；Ｎｏ）、情報取得部２０３は「送信」ボタンが押されたか否かを判定する（ステップＳ６６）。「送信」ボタンが押された場合（ステップＳ６６；Ｙｅｓ）、情報送信部２０８は来店情報をサーバ装置３に送信し（ステップＳ６７）、ステップＳ７０の処理を実行し、来店情報送信処理を終了する。
【００７４】
一方、「送信」ボタンが押されなかった場合（ステップＳ６６；Ｎｏ）、判定部２０７は一定時間が経過したか否かを判定する（ステップＳ６８）。一定時間が経過した場合（ステップＳ６８；Ｙｅｓ）、ステップＳ７０の処理を実行し、来店情報送信処理を終了する。一定時間が経過していない場合（ステップＳ６８；Ｎｏ）、判定部２０７は車両が移動を開始したか否かを判定する（ステップＳ６９）。車両が移動を開始していない場合（ステップＳ６９；Ｎｏ）、ステップＳ６５の処理を繰り返す。一方、車両が移動を開始した場合（ステップＳ６９；Ｙｅｓ）、ステップＳ７０の処理を実行し、来店情報送信処理を終了する。
【００７５】
以上述べたように本実施例の施設検索装置によれば、個々のユーザにとっての経済性判断に役立つような情報を提供し、ユーザは、それに応じて適切な目的地を判断することが可能となる。
【００７６】
［変形例］
上記の実施例における施設検索処理は、ナビゲーション装置に適用し、ユーザが商品を購買する店舗を検索する場面を想定していたが、本発明の適用はこの形態に限られない。例えば、ユーザが映画館を検索する場面では、ユーザの指定情報に対応する映画館の上映スケジュールを取得し、現在地から映画館までの距離に基づいて所要時間を計算し、上映開始までに間に合うかどうかを表示することとしてもよい。このように、指定店舗情報に対応付けて検索結果画面に一覧表示する情報は、近隣店舗情報、買得情報、画像情報に限られず、施設の種類に合わせて、混雑状況、利用開始時間、駐車場の進入方向、子供向けサービスの有無などを表示することとしても良い。
【図面の簡単な説明】
【００７７】
【図１】施設検索システムの概略構成を示すブロック図である。
【図２】ナビゲーション装置の構成示すブロック図である。
【図３】施設検索装置の機能構成を示すブロック図である。
【図４】検索結果画面の例である。
【図５】（ａ）は近隣店舗情報画面の例であり、（ｂ）買得情報画面の例である。
【図６】（ａ）は画像情報画面の例であり、（ｂ）店舗選択後画面の例である。
【図７】（ａ）は来店時の来店情報入力／送信画面の例であり、（ｂ）未送信の来店情報がある場合の来店情報入力／送信画面の例である。
【図８】施設検索処理のフローチャートである。
【図９】情報表示処理のフローチャートである。
【図１０】来店情報送信処理のフローチャートである。
【符号の説明】
【００７８】
１  ナビゲーション装置
３  サーバ装置
１８  ＧＰＳ受信機
２０  システムコントローラ
２２  ＣＰＵ
３６  データ記憶ユニット
１００  施設検索システム
２００  施設検索装置
【図１】
2009205534.tif 000003
【図２】
2009205534.tif 000004
【図３】
2009205534.tif 000005
【図４】
2009205534.tif 000006
【図５】
2009205534.tif 000007
【図６】
2009205534.tif 000008
【図７】
2009205534.tif 000009
【図８】
2009205534.tif 000010
【図９】
2009205534.tif 000011
【図１０】
2009205534.tif 000012